(57)【要約】  本発明はパワーヘッドルーム報告方法及び装置、コンピュータ記憶媒体を開示し、前記方法は、端末が複数の帯域幅部分（ＢＷＰ）におけるアップリンク信号のパワーヘッドルーム（ＰＨ）を計算し、前記複数のＢＷＰが前記端末の現在設定又はアクティベートしたＢＷＰであることと、前記端末がネットワーク装置に前記複数のＢＷＰのうちの少なくとも１つのＢＷＰにおけるアップリンク信号のＰＨを送信することと、を含む。
2021514595.tif 000002
【特許請求の範囲】
【請求項１】
パワーヘッドルーム報告方法であって、
端末が複数の帯域幅部分（ＢＷＰ）におけるアップリンク信号のパワーヘッドルーム（ＰＨ）を計算し、前記複数のＢＷＰが前記端末の現在設定又はアクティベートしたＢＷＰであることと、
前記端末がネットワーク装置に前記複数のＢＷＰのうちの少なくとも１つのＢＷＰにおけるアップリンク信号のＰＨを送信することと、を含むパワーヘッドルーム報告方法。
【請求項２】
前記方法は更に、
前記端末は前記ネットワーク装置が無線リソース制御（ＲＲＣ）シグナリング、システムメッセージ（ＳＩ）、媒体アクセス制御（ＭＡＣ）シグナリング又はダウンリンク制御情報（ＤＣＩ）シグナリングで示す前記複数のＢＷＰを受信することを含む請求項１に記載の方法。
【請求項３】
前記複数のＢＷＰは１つのキャリアにおいて前記ネットワーク装置が前記端末に設定又はアクティベートしたＢＷＰである請求項１又は２に記載の方法。
【請求項４】
前記端末が複数のＢＷＰにおけるアップリンク信号のパワーヘッドルーム（ＰＨ）を計算することは、
前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することを含む請求項１〜３のいずれか１項に記載の方法。
【請求項５】
前記アップリンク信号の伝送パラメータは前記アップリンク信号の伝送帯域幅、前記アップリンク信号の変調符号化方式、前記アップリンク信号のサブキャリア間隔のうちの少なくとも１つを含む請求項４に記載の方法。
【請求項６】
前記アップリンク信号の電力制御パラメータは最大送信電力、目標受信電力、パスロス係数、パスロス推定値、閉ループ電力調整係数のうちの少なくとも１つを含む請求項４又は５に記載の方法。
【請求項７】
前記アップリンク信号の伝送パラメータ及び／又は電力制御パラメータは、前記ネットワーク装置が前記複数のＢＷＰのうちの各ＢＷＰに対してそれぞれ設定したものである請求項４〜６のいずれか１項に記載の方法。
【請求項８】
前記複数のＢＷＰのうちの各ＢＷＰに対して、
前記ＢＷＰにおけるアップリンク信号の伝送パラメータ及び／又は電力制御パラメータは、ＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータは、ＰＨを計算する前に直前一回該ＢＷＰにおいて送信したアップリンク信号の伝送パラメータ及び／又は電力制御パラメータである請求項４〜７のいずれか１項に記載の方法。
【請求項９】
ＰＨを計算する時刻に前記端末が前記複数のＢＷＰのうちの第１ＢＷＰにおいてアップリンク信号を送信する場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の伝送パラメータ及び電力制御パラメータに基づいて、前記第１ＢＷＰにおけるアップリンク信号のＰＨを計算することを含む請求項４〜７のいずれか１項に記載の方法。
【請求項１０】
ＰＨを計算する時刻に前記端末が前記複数のＢＷＰのうちの第１ＢＷＰにおいてアップリンク信号を送信しない場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の電力制御パラメータに基づいて、前記第１ＢＷＰにおけるアップリンク信号のＰＨを計算することを含む請求項４〜７のいずれか１項に記載の方法。
【請求項１１】
ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の伝送パラメータ及び電力制御パラメータに基づいて、前記第２ＢＷＰにおけるアップリンク信号のＰＨを計算することを含む請求項４〜７のいずれか１項に記載の方法。
【請求項１２】
ＰＨを計算する前に直前一回前記複数のＢＷＰのうちの第２ＢＷＰにおいてアップリンク信号を送信する時刻とＰＨを計算する時刻との時間間隔が第１時間長以上である場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の電力制御パラメータに基づいて、前記第２ＢＷＰにおけるアップリンク信号のＰＨを計算することを含む請求項４〜７のいずれか１項に記載の方法。
【請求項１３】
前記端末がネットワーク装置に前記複数のＢＷＰのうちの少なくとも１つのＢＷＰにおけるアップリンク信号のＰＨを送信することは、
前記端末が前記複数のＢＷＰのうちの少なくとも１つのＢＷＰのうちの各ＢＷＰのＢＷＰインデックスと前記ＢＷＰに対応するＰＨとを前記ネットワーク装置に一括して送信することを含む請求項１〜１２のいずれか１項に記載の方法。
【請求項１４】
前記端末がネットワーク装置に前記複数のＢＷＰのうちの少なくとも１つのＢＷＰにおけるアップリンク信号のＰＨを送信することは、
前記端末がネットワーク装置に前記複数のＢＷＰのうちのアクティベート状態にあるＢＷＰにおけるアップリンク信号のＰＨを送信することを含む請求項１〜１２のいずれか１項に記載の方法。
【請求項１５】
前記端末がネットワーク装置に前記複数のＢＷＰのうちの少なくとも１つのＢＷＰにおけるアップリンク信号のＰＨを送信することは、
前記端末は前記ネットワーク装置に前記複数のＢＷＰのうちの対応するＰＨ値が最大又は最小である少なくとも１つのＢＷＰにおけるアップリンク信号のＰＨを送信することを含む請求項１〜１２のいずれか１項に記載の方法。
【請求項１６】
前記複数のＢＷＰが第１キャリアに属し、前記方法は更に、
前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することと、
前記端末が前記ネットワーク装置に前記第１キャリアにおけるアップリンク信号のＰＨを送信することと、を含む請求項１〜１５のいずれか１項に記載の方法。
【請求項１７】
前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することは、
前記端末が前記第１キャリアにおける前記複数のＢＷＰのうちの全てのＢＷＰにおけるアップリンク信号のＰＨに基づいて、前記第１キャリアにおけるアップリンク信号のＰＨを計算すること、又は、
前記端末が前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算することを含む請求項１６に記載の方法。
【請求項１８】
前記端末がネットワーク装置に前記複数のＢＷＰのうちの少なくとも１つのＢＷＰにおけるアップリンク信号のＰＨを送信することは、
前記端末がネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信することを含む請求項１〜１７のいずれか１項に記載の方法。
【請求項１９】
前記アップリンク信号は物理アップリンク共有チャネル（ＰＵＳＣＨ）、又はサウンディング参照信号（ＳＲＳ）、又は物理アップリンク制御チャネル（ＰＵＣＣＨ）、又は物理ランダムアクセスチャネル（ＰＲＡＣＨ）である請求項１〜１８のいずれか１項に記載の方法。
【請求項２０】
パワーヘッドルーム報告装置であって、
複数のＢＷＰにおけるアップリンク信号のパワーヘッドルーム（ＰＨ）を計算することに用いられ、前記複数のＢＷＰが前記端末の現在設定又はアクティベートしたＢＷＰである第１計算ユニットと、
ネットワーク装置に前記複数のＢＷＰのうちの少なくとも１つのＢＷＰにおけるアップリンク信号のＰＨを送信することに用いられる第１送信ユニットと、を備えるパワーヘッドルーム報告装置。
【請求項２１】
前記装置は更に、
前記ネットワーク装置がＲＲＣシグナリング、ＳＩ、ＭＡＣシグナリング又はＤＣＩシグナリングで示す前記複数のＢＷＰを受信することに用いられる受信ユニットを備える請求項２０に記載の装置。
【請求項２２】
前記複数のＢＷＰは１つのキャリアにおいて前記ネットワーク装置が前記端末に設定又はアクティベートしたＢＷＰである請求項２０又は２１に記載の装置。
【請求項２３】
前記第１計算ユニットは、前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することに用いられる請求項２０〜２２のいずれか１項に記載の装置。
【請求項２４】
前記アップリンク信号の伝送パラメータは前記アップリンク信号の伝送帯域幅、前記アップリンク信号の変調符号化方式、前記アップリンク信号のサブキャリア間隔のうちの少なくとも１つを含む請求項２３に記載の装置。
【請求項２５】
前記アップリンク信号の電力制御パラメータは最大送信電力、目標受信電力、パスロス係数、パスロス推定値、閉ループ電力調整係数のうちの少なくとも１つを含む請求項２３又は２４に記載の装置。
【請求項２６】
前記アップリンク信号の伝送パラメータ及び／又は電力制御パラメータは、前記ネットワーク装置が前記複数のＢＷＰのうちの各ＢＷＰに対してそれぞれ設定したものである請求項２３〜２５のいずれか１項に記載の装置。
【請求項２７】
前記複数のＢＷＰのうちの各ＢＷＰに対して、
前記ＢＷＰにおけるアップリンク信号の伝送パラメータ及び／又は電力制御パラメータはＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータはＰＨを計算する前に直前一回該ＢＷＰにおいて送信したアップリンク信号の伝送パラメータ及び／又は電力制御パラメータである請求項２３〜２６のいずれか１項に記載の装置。
【請求項２８】
ＰＨを計算する時刻に前記端末が前記複数のＢＷＰのうちの第１ＢＷＰにおいてアップリンク信号を送信する場合、前記第１計算ユニットは前記第１ＢＷＰにおけるアップリンク信号の伝送パラメータ及び電力制御パラメータに基づいて、前記第１ＢＷＰにおけるアップリンク信号のＰＨを計算する請求項２３〜２６のいずれか１項に記載の装置。
【請求項２９】
ＰＨを計算する時刻に前記端末が前記複数のＢＷＰのうちの第１ＢＷＰにおいてアップリンク信号を送信しない場合、前記第１計算ユニットは前記第１ＢＷＰにおけるアップリンク信号の電力制御パラメータに基づいて、前記第１ＢＷＰにおけるアップリンク信号のＰＨを計算する請求項２３〜２６のいずれか１項に記載の装置。
【請求項３０】
ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記第１計算ユニットは前記第２ＢＷＰにおけるアップリンク信号の伝送パラメータ及び電力制御パラメータに基づいて、前記第２ＢＷＰにおけるアップリンク信号のＰＨを計算する請求項２３〜２６のいずれか１項に記載の装置。
【請求項３１】
ＰＨを計算する前に直前一回前記複数のＢＷＰのうちの第２ＢＷＰにおいてアップリンク信号を送信する時刻とＰＨを計算する時刻との時間間隔が第１時間長以上である場合、前記第１計算ユニットは前記第２ＢＷＰにおけるアップリンク信号の電力制御パラメータに基づいて、前記第２ＢＷＰにおけるアップリンク信号のＰＨを計算する請求項２３〜２６のいずれか１項に記載の装置。
【請求項３２】
前記第１送信ユニットは更に、前記複数のＢＷＰのうちの少なくとも１つのＢＷＰのうちの各ＢＷＰのＢＷＰインデックスと前記ＢＷＰに対応するＰＨとを前記ネットワーク装置に一括して送信することに用いられる請求項２０〜３１のいずれか１項に記載の装置。
【請求項３３】
前記第１送信ユニットは、ネットワーク装置に前記複数のＢＷＰのうちのアクティベート状態にあるＢＷＰにおけるアップリンク信号のＰＨを送信することに用いられる請求項２０〜３１のいずれか１項に記載の装置。
【請求項３４】
前記第１送信ユニットは、前記ネットワーク装置に前記複数のＢＷＰのうちの対応するＰＨ値が最大又は最小である少なくとも１つのＢＷＰにおけるアップリンク信号のＰＨを送信することに用いられる請求項２０〜３１のいずれか１項に記載の装置。
【請求項３５】
前記複数のＢＷＰが第１キャリアに属し、前記装置は更に、
前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することに用いられる第２計算ユニットと、
前記ネットワーク装置に前記第１キャリアにおけるアップリンク信号のＰＨを送信することに用いられる第２送信ユニットと、を備える請求項２０〜３４のいずれか１項に記載の装置。
【請求項３６】
前記第２計算ユニットは、前記第１キャリアにおける前記複数のＢＷＰのうちの全てのＢＷＰにおけるアップリンク信号のＰＨに基づいて、前記第１キャリアにおけるアップリンク信号のＰＨを計算すること、又は、前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算することに用いられる請求項３５に記載の装置。
【請求項３７】
前記第１送信ユニットは、ネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信することに用いられる請求項２０〜３６のいずれか１項に記載の装置。
【請求項３８】
前記アップリンク信号はＰＵＳＣＨ、又はＳＲＳ、又はＰＵＣＣＨ、又はＰＲＡＣＨである請求項２０〜３７のいずれか１項に記載の装置。
【請求項３９】
コンピュータ記憶媒体であって、コンピュータ実行可能命令が記憶され、該コンピュータ実行可能命令がプロセッサにより実行されるとき、請求項１〜１９のいずれか１項に記載の方法ステップを実現するコンピュータ記憶媒体。
【発明の詳細な説明】
【技術分野】
【０００１】
本発明は無線通信技術分野に関し、特にパワーヘッドルーム報告方法及び装置、コンピュータ記憶媒体に関する。
【背景技術】
【０００２】
物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）パワーヘッドルーム（ＰＨ、Ｐｏｗｅｒ  Ｈｅａｄｒｏｏｍ）とは、端末の許容する最大伝送電力と現在算出したＰＵＳＣＨ伝送電力との差値を指し、公式でＰＨ＿ＰＵＳＣＨ＝ＵＥＡｌｌｏｗｅｄＭａｘＴｒａｎｓＰｏｗｅｒ―ＰｕｓｃｈＰｏｗｅｒと簡単に示されてもよく、ＰＨ＿ＰＵＳＣＨがＰＵＳＣＨパワーヘッドルームを示し、ＵＥＡｌｌｏｗｅｄＭａｘＴｒａｎｓＰｏｗｅｒが端末の許容する最大伝送電力を示し、ＰｕｓｃｈＰｏｗｅｒが現在算出したＰＵＳＣＨ伝送電力を示す。ＰＵＳＣＨパワーヘッドルームで示されるものは現在ＰＵＳＣＨ伝送に使用される伝送電力を除き、端末の使用できる伝送電力がどれくらいあるかということであり、ＰｕｓｃｈＰｏｗｅｒは端末の実際の送信電力ではなく、一定の公式で算出された送信電力である。ＰＨ＿ＰＵＳＣＨの単位がｄＢであり、ＰＨ＿ＰＵＳＣＨが負値である場合、端末の算出した送信電力がその最大限許容できる送信電力を超えると示される。
【０００３】
新無線（ＮＲ、Ｎｅｗ  Ｒａｄｉｏ）において、端末はＰＵＳＣＨ及びサウンディング参照信号（ＳＲＳ、Ｓｏｕｎｄｉｎｇ  Ｒｅｆｅｒｅｎｃｅ  Ｓｉｇｎａｌ）に対してそれぞれパワーヘッドルーム報告（ＰＨＲ、Ｐｏｗｅｒ  Ｈｅａｄｒｏｏｍ  Ｒｅｐｏｒｔ）を行う必要がある。端末は現在ＰＵＳＣＨ又はＳＲＳを伝送したキャリアに対してＰＨ報告を行う必要があるだけでなく、同時にＰＵＳＣＨ又はＳＲＳを伝送しないキャリアに対してＰＨ報告を行う必要もあり、それによりネットワーク側の該キャリアでのスケジューリングに参照を提供する。
【０００４】
なお、ＮＲにおいて、１つのキャリアは多くとも４つの帯域幅部分（ＢＷＰ、Ｂａｎｄｗｉｄｔｈ  Ｐａｒｔ）を含んでもよく、ネットワーク側はデータ又は参照信号の伝送のためにその中の一部のＢＷＰを動的にアクティベートすることができる。異なるＢＷＰに異なる帯域幅を割り当てて、異なるサービスタイプのデータ伝送に用いてもよい。例えば、１つのＢＷＰは高度モバイルブロードバンド（ｅＭＢＢ、Ｅｎｈａｎｃｅ  Ｍｏｂｉｌｅ  Ｂｒｏａｄｂａｎｄ）のデータ伝送に用いられてもよいが、もう１つのＢＷＰは超高信頼低遅延通信（ＵＲＬＬＣ、Ｕｌｔｒａ  Ｒｅｌｉａｂｌｅ  Ｌｏｗ  Ｌａｔｅｎｃｙ  Ｃｏｍｍｕｎｉｃａｔｉｏｎ）のデータ伝送に用いられてもよい。現在、各キャリアは１つのみのＰＨＲを有し、ネットワーク側はキャリアにおける各ＢＷＰにおける具体的なパワーヘッドルーム情報を取得することができず、このため、各ＢＷＰにおけるアップリンク信号伝送を合理的にスケジューリングすることができない。そして、ＰＵＳＣＨ伝送は複数のＢＷＰの間に動的に切り替えられてもよいため、ネットワーク側は複数のＢＷＰにおけるリアルタイムなパワーヘッドルーム情報を同時に有しなければ、ＢＷＰを合理的に切り替えることができない。
【発明の概要】
【発明が解決しようとする課題】
【０００５】
上記技術的問題を解決するために、本発明の実施例はパワーヘッドルーム報告方法及び装置、コンピュータ記憶媒体を提供する。
【課題を解決するための手段】
【０００６】
本発明の実施例に係るパワーヘッドルーム報告方法は、
端末が複数のＢＷＰにおけるアップリンク信号のＰＨを計算し、前記複数のＢＷＰが前記端末の現在設定又はアクティベートしたＢＷＰであることと、
前記端末がネットワーク装置に前記複数のＢＷＰのうちの少なくとも１つのＢＷＰにおけるアップリンク信号のＰＨを送信することと、を含む。
【０００７】
本発明の一実施形態では、前記方法は更に、
前記端末は前記ネットワーク装置が無線リソース制御（ＲＲＣ、Ｒａｄｉｏ  Ｒｅｓｏｕｒｃｅ  Ｃｏｎｔｒｏｌ）シグナリング、システムメッセージ（ＳＩ、Ｓｙｓｔｅｍ  Ｉｎｆｏｒｍａｔｉｏｎ）、媒体アクセス制御（ＭＡＣ、Ｍｅｄｉａ  Ａｃｃｅｓｓ  Ｃｏｎｔｒｏｌ）シグナリング、又はダウンリンク制御情報（ＤＣＩ、Ｄｏｗｎｌｉｎｋ  Ｃｏｎｔｒｏｌ  Ｉｎｆｏｒｍａｔｉｏｎ）シグナリングで示す前記複数のＢＷＰを受信することを含む。
【０００８】
本発明の一実施形態では、前記複数のＢＷＰは１つのキャリアにおいて前記ネットワーク装置が前記端末に設定又はアクティベートしたＢＷＰである。
【０００９】
本発明の一実施形態では、前記端末が複数のＢＷＰにおけるアップリンク信号のパワーヘッドルーム（ＰＨ）を計算することは、
前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することを含む。
【００１０】
本発明の一実施形態では、前記アップリンク信号の伝送パラメータは前記アップリンク信号の伝送帯域幅、前記アップリンク信号の変調符号化方式、前記アップリンク信号のサブキャリア間隔のうちの少なくとも１つを含む。
【００１１】
本発明の一実施形態では、前記アップリンク信号の電力制御パラメータは最大送信電力、目標受信電力、パスロス係数、パスロス推定値、閉ループ電力調整係数のうちの少なくとも１つを含む。
【００１２】
本発明の一実施形態では、前記アップリンク信号の伝送パラメータ及び／又は電力制御パラメータは、前記ネットワーク装置が前記複数のＢＷＰのうちの各ＢＷＰに対してそれぞれ設定したものである。
【００１３】
本発明の一実施形態では、前記複数のＢＷＰのうちの各ＢＷＰに対して、
前記ＢＷＰにおけるアップリンク信号の伝送パラメータ及び／又は電力制御パラメータはＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータはＰＨを計算する前に直前一回該ＢＷＰにおいて送信したアップリンク信号の伝送パラメータ及び／又は電力制御パラメータである。
【００１４】
本発明の一実施形態では、ＰＨを計算する時刻に前記端末が前記複数のＢＷＰのうちの第１ＢＷＰにおいてアップリンク信号を送信する場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の伝送パラメータ及び電力制御パラメータに基づいて、前記第１ＢＷＰにおけるアップリンク信号のＰＨを計算することを含む。
【００１５】
本発明の一実施形態では、ＰＨを計算する時刻に前記端末が前記複数のＢＷＰのうちの第１ＢＷＰにおいてアップリンク信号を送信しない場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の電力制御パラメータに基づいて、前記第１ＢＷＰにおけるアップリンク信号のＰＨを計算することを含む。
【００１６】
本発明の一実施形態では、ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の伝送パラメータ及び電力制御パラメータに基づいて、前記第２ＢＷＰにおけるアップリンク信号のＰＨを計算することを含む。
【００１７】
本発明の一実施形態では、ＰＨを計算する前に直前一回前記複数のＢＷＰのうちの第２ＢＷＰにおいてアップリンク信号を送信する時刻とＰＨを計算する時刻との時間間隔が第１時間長以上である場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の電力制御パラメータに基づいて、前記第２ＢＷＰにおけるアップリンク信号のＰＨを計算することを含む。
【００１８】
本発明の一実施形態では、前記端末がネットワーク装置に前記複数のＢＷＰのうちの少なくとも１つのＢＷＰにおけるアップリンク信号のＰＨを送信することは、
前記端末が前記複数のＢＷＰのうちの少なくとも１つのＢＷＰのうちの各ＢＷＰのＢＷＰインデックスと前記ＢＷＰに対応するＰＨとを前記ネットワーク装置に一括して送信することを含む。
【００１９】
本発明の一実施形態では、前記端末がネットワーク装置に前記複数のＢＷＰのうちの少なくとも１つのＢＷＰにおけるアップリンク信号のＰＨを送信することは、
前記端末がネットワーク装置に前記複数のＢＷＰのうちのアクティベート状態にあるＢＷＰにおけるアップリンク信号のＰＨを送信することを含む。
【００２０】
本発明の一実施形態では、前記端末がネットワーク装置に前記複数のＢＷＰのうちの少なくとも１つのＢＷＰにおけるアップリンク信号のＰＨを送信することは、
前記端末が前記ネットワーク装置に前記複数のＢＷＰのうちの対応するＰＨ値が最大又は最小である少なくとも１つのＢＷＰにおけるアップリンク信号のＰＨを送信することを含む。
【００２１】
本発明の一実施形態では、前記複数のＢＷＰが第１キャリアに属し、前記方法は更に、
前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することと、
前記端末が前記ネットワーク装置に前記第１キャリアにおけるアップリンク信号のＰＨを送信することと、を含む。
【００２２】
本発明の一実施形態では、前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することは、
前記端末が前記第１キャリアにおける前記複数のＢＷＰのうちの全てのＢＷＰにおけるアップリンク信号のＰＨに基づいて、前記第１キャリアにおけるアップリンク信号のＰＨを計算すること、又は、
前記端末が前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算することを含む。
【００２３】
本発明の一実施形態では、前記端末がネットワーク装置に前記複数のＢＷＰのうちの少なくとも１つのＢＷＰにおけるアップリンク信号のＰＨを送信することは、
前記端末がネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信することを含む。
【００２４】
本発明の一実施形態では、前記アップリンク信号はＰＵＳＣＨ、又はＳＲＳ、又は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、又は物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）である。
【００２５】
本発明の実施例に係るパワーヘッドルーム報告装置は、
複数のＢＷＰにおけるアップリンク信号のパワーヘッドルーム（ＰＨ）を計算することに用いられ、前記複数のＢＷＰが前記端末の現在設定又はアクティベートしたＢＷＰである第１計算ユニットと、
ネットワーク装置に前記複数のＢＷＰのうちの少なくとも１つのＢＷＰにおけるアップリンク信号のＰＨを送信することに用いられる第１送信ユニットと、を備える。
【００２６】
本発明の一実施形態では、前記装置は更に、
前記ネットワーク装置がＲＲＣシグナリング、ＳＩ、ＭＡＣシグナリング又はＤＣＩシグナリングで示す前記複数のＢＷＰを受信することに用いられる受信ユニットを備える。
【００２７】
本発明の一実施形態では、前記複数のＢＷＰは１つのキャリアにおいて前記ネットワーク装置が前記端末に設定又はアクティベートしたＢＷＰである。
【００２８】
本発明の一実施形態では、前記第１計算ユニットは、前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することに用いられる。
【００２９】
本発明の一実施形態では、前記アップリンク信号の伝送パラメータは前記アップリンク信号の伝送帯域幅、前記アップリンク信号の変調符号化方式、前記アップリンク信号のサブキャリア間隔のうちの少なくとも１つを含む。
【００３０】
本発明の一実施形態では、前記アップリンク信号の電力制御パラメータは最大送信電力、目標受信電力、パスロス係数、パスロス推定値、閉ループ電力調整係数のうちの少なくとも１つを含む。
【００３１】
本発明の一実施形態では、前記アップリンク信号の伝送パラメータ及び／又は電力制御パラメータは、前記ネットワーク装置が前記複数のＢＷＰのうちの各ＢＷＰに対してそれぞれ設定したものである。
【００３２】
本発明の一実施形態では、前記複数のＢＷＰのうちの各ＢＷＰに対して、
前記ＢＷＰにおけるアップリンク信号の伝送パラメータ及び／又は電力制御パラメータはＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータはＰＨを計算する前に直前一回該ＢＷＰにおいて送信したアップリンク信号の伝送パラメータ及び／又は電力制御パラメータである。
【００３３】
本発明の一実施形態では、ＰＨを計算する時刻に前記端末が前記複数のＢＷＰのうちの第１ＢＷＰにおいてアップリンク信号を送信する場合、前記第１計算ユニットは前記第１ＢＷＰにおけるアップリンク信号の伝送パラメータ及び電力制御パラメータに基づいて、前記第１ＢＷＰにおけるアップリンク信号のＰＨを計算する。
【００３４】
本発明の一実施形態では、ＰＨを計算する時刻に前記端末が前記複数のＢＷＰのうちの第１ＢＷＰにおいてアップリンク信号を送信しない場合、前記第１計算ユニットは前記第１ＢＷＰにおけるアップリンク信号の電力制御パラメータに基づいて、前記第１ＢＷＰにおけるアップリンク信号のＰＨを計算する。
【００３５】
本発明の一実施形態では、ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記第１計算ユニットは前記第２ＢＷＰにおけるアップリンク信号の伝送パラメータ及び電力制御パラメータに基づいて、前記第２ＢＷＰにおけるアップリンク信号のＰＨを計算する。
【００３６】
本発明の一実施形態では、ＰＨを計算する前に直前一回前記複数のＢＷＰのうちの第２ＢＷＰにおいてアップリンク信号を送信する時刻とＰＨを計算する時刻との時間間隔が第１時間長以上である場合、前記第１計算ユニットは前記第２ＢＷＰにおけるアップリンク信号の電力制御パラメータに基づいて、前記第２ＢＷＰにおけるアップリンク信号のＰＨを計算する。
【００３７】
本発明の一実施形態では、前記第１送信ユニットは更に、前記複数のＢＷＰのうちの少なくとも１つのＢＷＰのうちの各ＢＷＰのＢＷＰインデックスと前記ＢＷＰに対応するＰＨとを前記ネットワーク装置に一括して送信することに用いられる。
【００３８】
本発明の一実施形態では、前記第１送信ユニットは、ネットワーク装置に前記複数のＢＷＰのうちのアクティベート状態にあるＢＷＰにおけるアップリンク信号のＰＨを送信することに用いられる。
【００３９】
本発明の一実施形態では、前記第１送信ユニットは、前記ネットワーク装置に前記複数のＢＷＰのうちの対応するＰＨ値が最大又は最小である少なくとも１つのＢＷＰにおけるアップリンク信号のＰＨを送信することに用いられる。
【００４０】
本発明の一実施形態では、前記複数のＢＷＰが第１キャリアに属し、前記装置は更に、
前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することに用いられる第２計算ユニットと、
前記ネットワーク装置に前記第１キャリアにおけるアップリンク信号のＰＨを送信することに用いられる第２送信ユニットと、を備える。
【００４１】
本発明の一実施形態では、前記第２計算ユニットは、前記第１キャリアにおける前記複数のＢＷＰのうちの全てのＢＷＰにおけるアップリンク信号のＰＨに基づいて、前記第１キャリアにおけるアップリンク信号のＰＨを計算すること、又は、前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算することに用いられる。
【００４２】
本発明の一実施形態では、前記第１送信ユニットは、ネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信することに用いられる。
【００４３】
本発明の一実施形態では、前記アップリンク信号はＰＵＳＣＨ、又はＳＲＳ、又はＰＵＣＣＨ、又はＰＲＡＣＨである。
【００４４】
本発明の実施例に係るコンピュータ記憶媒体には、コンピュータ実行可能命令が記憶され、該コンピュータ実行可能命令がプロセッサにより実行されるとき、上記パワーヘッドルーム報告方法を実現する。
【発明の効果】
【００４５】
本発明の実施例の技術案では、端末は複数のＢＷＰにおけるアップリンク信号のＰＨを計算し、前記複数のＢＷＰは前記端末の現在設定又はアクティベートしたＢＷＰであり、前記端末はネットワーク装置に前記複数のＢＷＰのうちの少なくとも１つのＢＷＰにおけるアップリンク信号のＰＨを送信する。本発明の実施例の技術案によれば、端末は現在設定又はアクティベートしたＢＷＰに対してそれぞれパワーヘッドルーム報告を行い、それによりネットワーク側は各ＢＷＰにおいてリソーススケジューリング及びアップリンクパワー制御を柔軟に行うことができる。
【図面の簡単な説明】
【００４６】
ここで説明される図面は本発明を更に理解するためのものであって、本願の一部となり、本発明の例示的な実施例及びその説明は本発明を解釈するためのものであって、本発明を不正に制限するためのものではない。図中、
【図１】図１は本発明の実施例のパワーヘッドルーム報告方法の模式的なフローチャートである。
【図２】図２は本発明の実施例のパワーヘッドルーム報告装置の構造模式図である。
【図３】図３は本発明の実施例のコンピュータ装置の構造模式図である。
【発明を実施するための形態】
【００４７】
本発明の実施例の技術案を理解しやすくするために、以下に本発明の実施例に関わるＰＨ計算方法を説明する。
【００４８】
１）端末がある時刻に、あるキャリアにおいてＰＵＳＣＨを伝送した場合、対応するＰＨは、
【数１】
2021514595.tif 000003
と示されてもよく、
【数２】
2021514595.tif 000004
が端末の最大送信電力であり、大括弧内の計算結果は端末が該時刻での該キャリアにおける実際のＰＵＳＣＨ伝送パラメータに基づいて算出した所望の送信電力である。
【００４９】
２）端末がある時刻に、あるキャリアにおいてＰＵＳＣＨを伝送しない場合、対応するＰＨは、
【数３】
2021514595.tif 000005
と示されてもよく、
【数４】
2021514595.tif 000006
は端末が該キャリアにおいて仮定した最大送信電力であり、大括弧内の計算結果は端末の該キャリアでの所期の送信電力である（ＰＵＳＣＨ伝送パラメータなし）。
【００５０】
３）端末がある時刻に、あるキャリアにおいてＳＲＳを伝送した場合、対応するＰＨは、
【数５】
2021514595.tif 000007
と示されてもよく、
【数６】
2021514595.tif 000008
が端末の最大送信電力であり、大括弧内の計算結果は端末が該時刻での該キャリアにおける実際のＳＲＳ伝送パラメータに基づいて算出した所望の送信電力である。
【００５１】
４）端末がある時刻に、あるキャリアにおいてＳＲＳを伝送しない場合、対応するＰＨは、
【数７】
2021514595.tif 000009
と示されてもよく、
【数８】
2021514595.tif 000010
は端末が該キャリアにおいて仮定した最大送信電力であり、大括弧内の計算結果は端末の該キャリアでの所期の送信電力である（ＳＲＳ伝送パラメータなし）。
【００５２】
以下、図面を参照しながら本発明の実施例の技術案を詳しく説明する。
【００５３】
図１は本発明の実施例のパワーヘッドルーム報告方法の模式的なフローチャートであり、図１に示すように、前記パワーヘッドルーム報告方法は以下のステップ１０１〜１０２を含む。
【００５４】
ステップ１０１、端末は複数のＢＷＰにおけるアップリンク信号のパワーヘッドルーム（ＰＨ）を計算し、前記複数のＢＷＰは前記端末の現在設定又はアクティベートしたＢＷＰである。
【００５５】
本発明の実施例では、前記端末は携帯電話、タブレットＰＣ、ノートパソコン、デスクトップパソコン等のいかなるネットワーク装置と通信できる装置である。
【００５６】
本発明の実施例では、前記端末が、前記ネットワーク装置がＲＲＣシグナリング、ＳＩ、ＭＡＣシグナリング又はＤＣＩシグナリングで示す前記複数のＢＷＰを受信することは、具体的に以下のとおりである。
【００５７】
１）前記端末は前記ネットワーク装置から送信された第１メッセージを受信し、前記第１メッセージは前記端末にＮ個のＢＷＰを設定することに用いられ、Ｎが１より大きな整数である。
【００５８】
更に、前記第１メッセージはＲＲＣシグナリング又はＳＩである。
【００５９】
２）前記端末は前記ネットワーク装置から送信された第２メッセージを受信し、前記第２メッセージはアクティベートすべきＢＷＰが前記Ｎ個のＢＷＰのうちのＭ個のＢＷＰであることを前記端末に示すことに用いられ、ＭがＮ以下の正整数である。
【００６０】
更に、前記第２メッセージはＭＡＣシグナリング又はＤＣＩシグナリングである。
【００６１】
３）前記複数のＢＷＰは前記Ｎ個のＢＷＰであり（即ち、前記複数のＢＷＰは前記端末の現在設定したＢＷＰである）、又は、前記複数のＢＷＰは前記Ｍ個のＢＷＰである（即ち、前記複数のＢＷＰは前記端末の現在アクティベートしたＢＷＰである）。
【００６２】
一実施形態では、前記複数のＢＷＰは１つのキャリアにおいて前記ネットワーク装置が前記端末に設定又はアクティベートしたＢＷＰである。
【００６３】
本発明の実施例では、前記端末は前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算する。
【００６４】
一実施形態では、前記アップリンク信号の伝送パラメータは前記アップリンク信号の伝送帯域幅、前記アップリンク信号の変調符号化方式、前記アップリンク信号のサブキャリア間隔のうちの少なくとも１つを含む。
【００６５】
一実施形態では、前記アップリンク信号の電力制御パラメータは最大送信電力、目標受信電力、パスロス係数、パスロス推定値、閉ループ電力調整係数のうちの少なくとも１つを含む。
【００６６】
上記解決手段では、前記アップリンク信号の伝送パラメータ及び／又は電力制御パラメータは前記ネットワーク装置が前記複数のＢＷＰのうちの各ＢＷＰに対してそれぞれ設定したものである。
【００６７】
本発明の実施例では、前記複数のＢＷＰのうちの各ＢＷＰに対して、
前記ＢＷＰにおけるアップリンク信号の伝送パラメータ及び／又は電力制御パラメータはＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータはＰＨを計算する前に直前一回該ＢＷＰにおいて送信したアップリンク信号の伝送パラメータ及び／又は電力制御パラメータである。
【００６８】
上記アップリンク信号の異なる伝送状況を考慮して、本発明の実施例は以下の方式でＰＨを計算する。
【００６９】
１）ＰＨを計算する時刻に前記端末が前記複数のＢＷＰのうちの第１ＢＷＰにおいてアップリンク信号を送信する場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の伝送パラメータ及び電力制御パラメータに基づいて、前記第１ＢＷＰにおけるアップリンク信号のＰＨを計算することを含む。
【００７０】
２）ＰＨを計算する時刻に前記端末が前記複数のＢＷＰのうちの第１ＢＷＰにおいてアップリンク信号を送信しない場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の電力制御パラメータに基づいて、前記第１ＢＷＰにおけるアップリンク信号のＰＨを計算することを含む。
【００７１】
３）ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の伝送パラメータ及び電力制御パラメータに基づいて、前記第２ＢＷＰにおけるアップリンク信号のＰＨを計算することを含む。
【００７２】
４）ＰＨを計算する前に直前一回前記複数のＢＷＰのうちの第２ＢＷＰにおいてアップリンク信号を送信する時刻とＰＨを計算する時刻との時間間隔が第１時間長以上である場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の電力制御パラメータに基づいて、前記第２ＢＷＰにおけるアップリンク信号のＰＨを計算することを含む。
【００７３】
ここで、前記第１時間長は予め定義された間隔であり、一例では、前記第１時間長はいくつかのスロットであってもよい。
【００７４】
一実施形態では、前記アップリンク信号はＰＵＳＣＨ、又はＳＲＳ、又はＰＵＣＣＨ、又はＰＲＡＣＨである。
【００７５】
本発明の実施例では、アップリンク信号の伝送パラメータ及び電力制御パラメータに基づいて算出したＰＨは実際のＰＨとも称され、電力制御パラメータに基づいて算出したＰＨは仮想ＰＨとも称される。以下、具体例を参照して説明する。
【００７６】
例１
端末がキャリアｃにおけるＢＷＰ  ｋにおけるＰＵＳＣＨの伝送パラメータ及び電力制御パラメータに基づいて該ＢＷＰにおけるＰＵＳＣＨの実際のＰＨを計算する方法は、
【数９】
2021514595.tif 000011
であり、
上記公式におけるパラメータは該ＢＷＰ  ｋにおけるＰＵＳＣＨに設定又は指示したパラメータ（即ち、各ＢＷＰ特定のパラメータ）であり、
【数１０】
2021514595.tif 000012
がＰＵＳＣＨの伝送帯域幅を示し、
【数１１】
2021514595.tif 000013
が変調符号化方式で取得されたものであり、
【数１２】
2021514595.tif 000014
がＰＵＳＣＨ伝送のためのサブキャリア間隔であり、
【数１３】
2021514595.tif 000015
が端末の該ＢＷＰでの最大送信電力であり、
【数１４】
2021514595.tif 000016
がＰＵＳＣＨ目標受信電力であり、
【数１５】
2021514595.tif 000017
がパスロス係数であり、
【数１６】
2021514595.tif 000018
がパスロス推定値であり、
【数１７】
2021514595.tif 000019
が閉ループ電力調整係数である。
【００７７】
例２
端末がキャリアｃにおけるＢＷＰ  ｋにおけるＰＵＳＣＨの電力制御パラメータに基づいて該ＢＷＰにおけるＰＵＳＣＨの仮想ＰＨを計算する方法は、
【数１８】
2021514595.tif 000020
であり、
上記公式におけるパラメータは該ＢＷＰ  ｋにおけるＰＵＳＣＨに設定又は指示した電力制御パラメータ（即ち、各ＢＷＰ特定のパラメータ）であり、
【数１９】
2021514595.tif 000021
は端末が該ＢＷＰにおいて仮定した最大送信電力であり、
【数２０】
2021514595.tif 000022
がＰＵＳＣＨ目標受信電力であり、
【数２１】
2021514595.tif 000023
がパスロス係数であり、
【数２２】
2021514595.tif 000024
がパスロス推定値であり、
【数２３】
2021514595.tif 000025
が閉ループ電力調整係数である。
【００７８】
例３
端末がキャリアｃにおけるＢＷＰ  ｋにおけるＳＲＳの伝送パラメータ及び電力制御パラメータに基づいて該ＢＷＰにおけるＳＲＳの実際のＰＨを計算する方法は、
【数２４】
2021514595.tif 000026
であり、
上記公式におけるパラメータは該ＢＷＰ  ｋにおけるＳＲＳに設定又は指示したパラメータ（即ち、各ＢＷＰ特定のパラメータ）であり、
【数２５】
2021514595.tif 000027
がＳＲＳ伝送帯域幅を示し、
【数２６】
2021514595.tif 000028
がＳＲＳ伝送のためのサブキャリア間隔であり、
【数２７】
2021514595.tif 000029
が端末の該ＢＷＰでの最大送信電力であり、
【数２８】
2021514595.tif 000030
が目標受信電力であり、
【数２９】
2021514595.tif 000031
がパスロス係数であり、
【数３０】
2021514595.tif 000032
がパスロス推定値であり、
【数３１】
2021514595.tif 000033
がＳＲＳ閉ループ電力調整係数である。
【００７９】
例４
端末がキャリアｃにおけるＢＷＰ  ｋにおけるＳＲＳの電力制御パラメータに基づいて該ＢＷＰにおけるＳＲＳの仮想ＰＨを計算する方法は、
【数３２】
2021514595.tif 000034
であり、
上記公式におけるパラメータは該ＢＷＰ  ｋにおけるＳＲＳに設定又は指示したパラメータ（即ち、各ＢＷＰ特定のパラメータ）であり、
【数３３】
2021514595.tif 000035
は端末が該ＢＷＰにおいて仮定した最大送信電力であり、
【数３４】
2021514595.tif 000036
が目標受信電力であり、
【数３５】
2021514595.tif 000037
がパスロス係数であり、
【数３６】
2021514595.tif 000038
がパスロス推定値であり、
【数３７】
2021514595.tif 000039
がＳＲＳ閉ループ電力調整係数である。
【００８０】
ステップ１０２、前記端末はネットワーク装置に前記複数のＢＷＰのうちの少なくとも１つのＢＷＰにおけるアップリンク信号のＰＨを送信する。
【００８１】
一実施形態では、前記端末はネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信する。具体的に、端末は１つのみのＢＷＰにおけるアップリンク信号の実際のＰＨ値を報告し、他のＢＷＰにおけるアップリンク信号は差分のＰＨ値のみを報告し、それにより報告したシグナリングオーバーヘッドを節約することができる。ここで実際のＰＨ値を報告するＢＷＰは前記複数のＢＷＰのうちのインデックスが最低であるＢＷＰ、又は前記複数のＢＷＰのうちの優先度が最高であるＢＷＰであってもよい。
【００８２】
一実施形態では、前記端末は前記複数のＢＷＰのうちの少なくとも１つのＢＷＰのうちの各ＢＷＰのＢＷＰインデックスと前記ＢＷＰに対応するＰＨとを前記ネットワーク装置に一括して送信する。それによりネットワーク側は該インデックスに基づいて各ＰＨに対応するＢＷＰを決定することができる。
【００８３】
一実施形態では、前記端末はネットワーク装置に前記複数のＢＷＰのうちのアクティベート状態にあるＢＷＰにおけるアップリンク信号のＰＨを送信する。具体的に、端末がある時刻にＰＨを報告するとき、該時刻に前記複数のＢＷＰのうちのアクティベートされたものが１つ又は複数ある場合、端末はアクティベートされていないＢＷＰに対応するＰＨを報告せずに、これらのアクティベートされたＢＷＰに対応するＰＨのみを報告する。各時刻に１つのみのＢＷＰがアクティベートされたものである場合、ネットワーク側は現在アクティベートされたＢＷＰに基づいて、報告したＰＨに対応するＢＷＰを把握できる。
【００８４】
一実施形態では、前記端末は前記ネットワーク装置に前記複数のＢＷＰのうちの対応するＰＨ値が最大又は最小である少なくとも１つのＢＷＰにおけるアップリンク信号のＰＨを送信する。
【００８５】
一実施形態では、前記複数のＢＷＰが第１キャリアに属し、前記方法は更に、
前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算する（計算方法は平均値を求めること、和を求めること等であってもよい）ことと、
前記端末が前記ネットワーク装置に前記第１キャリアにおけるアップリンク信号のＰＨを送信することと、を含む。
【００８６】
ここで、前記端末が前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することは、以下の２つの方式のうちの１つで実現される。
【００８７】
方式１
前記端末は前記第１キャリアにおける前記複数のＢＷＰのうちの全てのＢＷＰにおけるアップリンク信号のＰＨに基づいて、前記第１キャリアにおけるアップリンク信号のＰＨを計算する。
【００８８】
例えば、ネットワーク側は端末の１つのキャリアにおいて４つのＢＷＰを設定し、端末はそれぞれ各ＢＷＰにおけるＰＵＳＣＨ又はＳＲＳのＰＨを計算して、前記４つのＢＷＰのＰＨの線形値の平均値を求めた後、前記キャリアのＰＨを取得して、ネットワーク側に報告する。
【００８９】
方式２
前記端末は前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算する。
【００９０】
例えば、ネットワーク側は端末の１つのキャリアにおいて４つのＢＷＰを設定したが、ＰＨを報告する時刻に２つのＢＷＰしかアクティベートしなかった場合、端末はアクティベートされた２つのＢＷＰのＰＨの線形値の平均値を求めた後、前記キャリアのＰＨを取得して、ネットワーク側に報告する。
【００９１】
本発明の実施例の技術案によれば、端末は１つのキャリアにおいて設定された複数のＢＷＰのそれぞれに対応するＰＨを報告することができ、それによりネットワーク側は複数のＢＷＰの間に柔軟に切り替えるとともに、各ＢＷＰにおけるリソース割り当て及びアップリンク電力制御パラメータを決定することができる。
【００９２】
図２は本発明の実施例のパワーヘッドルーム報告装置の構造模式図であり、図２に示すように、前記パワーヘッドルーム報告装置は、
複数のＢＷＰにおけるアップリンク信号のパワーヘッドルーム（ＰＨ）を計算することに用いられ、前記複数のＢＷＰが前記端末の現在設定又はアクティベートしたＢＷＰである第１計算ユニット２０１と、
ネットワーク装置に前記複数のＢＷＰのうちの少なくとも１つのＢＷＰにおけるアップリンク信号のＰＨを送信することに用いられる第１送信ユニット２０２と、を備える。
【００９３】
一実施形態では、前記装置は更に、
前記ネットワーク装置がＲＲＣシグナリング、ＳＩ、ＭＡＣシグナリング又はＤＣＩシグナリングで示す前記複数のＢＷＰを受信することに用いられる受信ユニット２０３を備える。
【００９４】
一実施形態では、前記複数のＢＷＰは１つのキャリアにおいて前記ネットワーク装置が前記端末に設定又はアクティベートしたＢＷＰである。
【００９５】
一実施形態では、前記第１計算ユニット２０１は、前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することに用いられる。
【００９６】
一実施形態では、前記アップリンク信号の伝送パラメータは前記アップリンク信号の伝送帯域幅、前記アップリンク信号の変調符号化方式、前記アップリンク信号のサブキャリア間隔のうちの少なくとも１つを含む。
【００９７】
一実施形態では、前記アップリンク信号の電力制御パラメータは最大送信電力、目標受信電力、パスロス係数、パスロス推定値、閉ループ電力調整係数のうちの少なくとも１つを含む。
【００９８】
一実施形態では、前記アップリンク信号の伝送パラメータ及び／又は電力制御パラメータは前記ネットワーク装置が前記複数のＢＷＰのうちの各ＢＷＰに対してそれぞれ設定したものである。
【００９９】
一実施形態では、前記複数のＢＷＰのうちの各ＢＷＰに対して、
前記ＢＷＰにおけるアップリンク信号の伝送パラメータ及び／又は電力制御パラメータはＰＨを計算する時刻に前記ＢＷＰにおいて送信したアップリンク信号の伝送パラメータ及び／又は電力制御パラメータであり、又は、
前記ＢＷＰにおけるアップリンク信号の伝送パラメータ及び／又は電力制御パラメータはＰＨを計算する前に直前一回該ＢＷＰにおいて送信したアップリンク信号の伝送パラメータ及び／又は電力制御パラメータである。
【０１００】
一実施形態では、ＰＨを計算する時刻に前記端末が前記複数のＢＷＰのうちの第１ＢＷＰにおいてアップリンク信号を送信する場合、前記第１計算ユニット２０１は前記第１ＢＷＰにおけるアップリンク信号の伝送パラメータ及び電力制御パラメータに基づいて、前記第１ＢＷＰにおけるアップリンク信号のＰＨを計算する。
【０１０１】
一実施形態では、ＰＨを計算する時刻に前記端末が前記複数のＢＷＰのうちの第１ＢＷＰにおいてアップリンク信号を送信しない場合、前記第１計算ユニット２０１は前記第１ＢＷＰにおけるアップリンク信号の電力制御パラメータに基づいて、前記第１ＢＷＰにおけるアップリンク信号のＰＨを計算する。
【０１０２】
一実施形態では、ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記第１計算ユニット２０１は前記第２ＢＷＰにおけるアップリンク信号の伝送パラメータ及び電力制御パラメータに基づいて、前記第２ＢＷＰにおけるアップリンク信号のＰＨを計算する。
【０１０３】
一実施形態では、ＰＨを計算する前に直前一回前記複数のＢＷＰのうちの第２ＢＷＰにおいてアップリンク信号を送信する時刻とＰＨを計算する時刻との時間間隔が第１時間長以上である場合、前記第１計算ユニット２０１は前記第２ＢＷＰにおけるアップリンク信号の電力制御パラメータに基づいて、前記第２ＢＷＰにおけるアップリンク信号のＰＨを計算する。
【０１０４】
一実施形態では、前記第１送信ユニット２０２は更に、前記複数のＢＷＰのうちの少なくとも１つのＢＷＰのうちの各ＢＷＰのＢＷＰインデックスと前記ＢＷＰに対応するＰＨとを前記ネットワーク装置に一括して送信することに用いられる。
【０１０５】
一実施形態では、前記第１送信ユニット２０２は、ネットワーク装置に前記複数のＢＷＰのうちのアクティベート状態にあるＢＷＰにおけるアップリンク信号のＰＨを送信することに用いられる。
【０１０６】
一実施形態では、前記第１送信ユニット２０２は、前記ネットワーク装置に前記複数のＢＷＰのうちの対応するＰＨ値が最大又は最小である少なくとも１つのＢＷＰにおけるアップリンク信号のＰＨを送信することに用いられる。
【０１０７】
一実施形態では、前記複数のＢＷＰが第１キャリアに属し、前記装置は更に、
前記第１キャリアにおける前記複数のＢＷＰのうちの少なくとも１つのＢＷＰにおけるアップリンク信号のＰＨに基づいて、前記第１キャリアにおけるアップリンク信号のＰＨを計算することに用いられる第２計算ユニット２０４と、
前記ネットワーク装置に前記第１キャリアにおけるアップリンク信号のＰＨを送信することに用いられる第２送信ユニット２０５と、を備える。
【０１０８】
一実施形態では、前記第２計算ユニット２０４は、前記第１キャリアにおける前記複数のＢＷＰのうちの全てのＢＷＰにおけるアップリンク信号のＰＨに基づいて、前記第１キャリアにおけるアップリンク信号のＰＨを計算すること、又は、前記第１キャリアにおける前記複数のＢＷＰのうちのアクティベート状態にあるＢＷＰにおけるアップリンク信号のＰＨに基づいて、前記第１キャリアにおけるアップリンク信号のＰＨを計算することに用いられる。
【０１０９】
一実施形態では、前記第１送信ユニット２０２は、ネットワーク装置に前記複数のＢＷＰのうちの第１ＢＷＰにおけるアップリンク信号の第１ＰＨ、及び前記複数のＢＷＰのうちの前記第１ＢＷＰ以外の少なくとも１つのＢＷＰにおけるアップリンク信号のＰＨと前記第１ＰＨとの差値を送信することに用いられる。
【０１１０】
一実施形態では、前記アップリンク信号はＰＵＳＣＨ、又はＳＲＳ、又はＰＵＣＣＨ、又はＰＲＡＣＨである。
【０１１１】
当業者であれば理解されるように、図２に示されるパワーヘッドルーム報告装置における各ユニットの実現機能については、上記パワーヘッドルーム報告方法の関連説明を参照して理解される。図２に示されるパワーヘッドルーム報告装置における各ユニットの機能は、プロセッサにおいて実行されているプログラムによって実現されてもよく、具体的な論理回路によって実現されてもよい。
【０１１２】
本発明の実施例の上記パワーヘッドルーム報告装置はソフトウェア機能モジュールの形式で実現され、独立した製品として販売又は使用されるときは、１つのコンピュータ可読記憶媒体に記憶されてもよい。このような理解に基づいて、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されない。
【０１１３】
それに対応して、本発明の実施例は更にコンピュータ記憶媒体を提供し、該コンピュータ記憶媒体にコンピュータ実行可能命令が記憶され、該コンピュータ実行可能命令がプロセッサにより実行されるとき、本発明の実施例の上記パワーヘッドルーム報告方法を実現する。
【０１１４】
図３は本発明の実施例のコンピュータ装置の構造模式図であり、該コンピュータ装置はいかなるタイプの端末であってもよい。図３に示すように、コンピュータ装置１００は１つ又は複数の（図中には１つのみを示す）プロセッサ１００２（プロセッサ１００２はマイクロコントローラユニット（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を備えてもよい。当業者であれば理解できるように、図３に示される構造は模式的なものであって、上記電子装置の構造を制限するためのものではない。例えば、コンピュータ装置１００は更に図３より多く又は少ないコンポーネントを備え、又は図３に示されるものと異なる設定を有してもよい。
【０１１５】
メモリ１００４はアプリケーションソフトウェアが記憶されるソフトウェアプログラム及びモジュール、例えば本発明の実施例における方法に対応するプログラム命令／モジュールに適用されてもよく、プロセッサ１００２はメモリ１００４に記憶されるソフトウェアプログラム及びモジュールを実行することにより、様々な機能アプリケーション及びデータ処理を実行し、即ち、上記方法を実現する。メモリ１００４は高速ランダムメモリを含んでもよく、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらのリモートメモリはネットワーク経由でコンピュータ装置１００に接続されてもよい。上記ネットワークの実例はインターネット、イントラネット、ローカルエリアネットワーク、移動通信ネットワーク及びそれらの組み合わせを含むが、それらに限らない。
【０１１６】
伝送装置１００６は１つのネットワーク経由でデータを送受信することに用いられる。上記ネットワークの具体的な実例はコンピュータ装置１００の通信プロバイダの提供する無線ネットワークを含んでもよい。一実例では、伝送装置１００６は基地局によって他のネットワーク装置に接続されることによりインターネットと通信することのできる１つのネットワークインターフェースコントローラ（ＮＩＣ、Ｎｅｔｗｏｒｋ  Ｉｎｔｅｒｆａｃｅ  Ｃｏｎｔｒｏｌｌｅｒ）を備える。一実例では、伝送装置１００６は無線方式でインターネットと通信するための無線周波数（ＲＦ、Ｒａｄｉｏ  Ｆｒｅｑｕｅｎｃｙ）モジュールであってもよい。
【０１１７】
本発明の実施例に記載の技術案同士は、衝突しない限り、任意に組み合わせられてもよい。
【０１１８】
本発明に係るいくつかの実施例では、理解されるように、開示される方法及びスマートデバイスは他の方式で実現されてもよい。以上に説明される装置の実施例は模式的なものに過ぎず、例えば、前記ユニットの区分は論理機能上の区分に過ぎず、実際に実現するとき、他の区分方式があってもよく、例えば複数のユニット又はコンポーネントは結合し又は他のシステムに統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【０１１９】
分離部材として説明される上記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよく、実際の必要に応じて、その一部又は全部のユニットを選択して本実施例案の目的を実現してもよい。
【０１２０】
また、本発明の各実施例では、各機能ユニットは１つの第２処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。
【０１２１】
以上の説明は本発明の具体的な実施形態に過ぎず、本発明の保護範囲を制限するためのものではなく、当業者が本発明に開示される技術的範囲内に容易に想到し得る変更や置換は、いずれも本発明の保護範囲内に含まれるべきである。
【図１】
2021514595.tif 000040
【図２】
2021514595.tif 000041
【図３】
2021514595.tif 000042
【手続補正書】
【提出日】令和2年8月21日(2020.8.21)
【手続補正１】
【補正対象書類名】明細書
【補正対象項目名】００２４
【補正方法】変更
【補正の内容】
【００２４】
本発明の一実施形態では、前記アップリンク信号はＰＵＳＣＨにおける信号であり、又はＳＲＳであり、又は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）における信号であり、又は物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）における信号である。
【手続補正２】
【補正対象書類名】明細書
【補正対象項目名】００４３
【補正方法】変更
【補正の内容】
【００４３】
本発明の一実施形態では、前記アップリンク信号はＰＵＳＣＨにおける信号であり、又はＳＲＳであり、又はＰＵＣＣＨにおける信号であり、又はＰＲＡＣＨにおける信号である。
【手続補正３】
【補正対象書類名】明細書
【補正対象項目名】００７４
【補正方法】変更
【補正の内容】
【００７４】
一実施形態では、前記アップリンク信号はＰＵＳＣＨにおける信号であり、又はＳＲＳであり、又はＰＵＣＣＨにおける信号であり、又はＰＲＡＣＨにおける信号である。
【手続補正４】
【補正対象書類名】明細書
【補正対象項目名】００９２
【補正方法】変更
【補正の内容】
【００９２】
図２は本発明の実施例のパワーヘッドルーム報告装置の構造模式図であり、前記パワーヘッドルーム報告装置は端末に含まれ、図２に示すように、前記パワーヘッドルーム報告装置は、
複数のＢＷＰにおけるアップリンク信号のパワーヘッドルーム（ＰＨ）を計算することに用いられ、前記複数のＢＷＰが前記端末の現在設定又はアクティベートしたＢＷＰである第１計算ユニット２０１と、
ネットワーク装置に前記複数のＢＷＰのうちの少なくとも１つのＢＷＰにおけるアップリンク信号のＰＨを送信することに用いられる第１送信ユニット２０２と、を備える。
【手続補正５】
【補正対象書類名】明細書
【補正対象項目名】０１１０
【補正方法】変更
【補正の内容】
【０１１０】
一実施形態では、前記アップリンク信号はＰＵＳＣＨにおける信号であり、又はＳＲＳであり、又はＰＵＣＣＨにおける信号であり、又はＰＲＡＣＨにおける信号である。
【手続補正６】
【補正対象書類名】明細書
【補正対象項目名】０１２０
【補正方法】変更
【補正の内容】
【０１２０】
また、本発明の各実施例では、各機能ユニットは１つの処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。
【手続補正７】
【補正対象書類名】特許請求の範囲
【補正対象項目名】全文
【補正方法】変更
【補正の内容】
【特許請求の範囲】
【請求項１】
パワーヘッドルーム報告方法であって、
端末が複数の帯域幅部分（ＢＷＰ）におけるアップリンク信号のパワーヘッドルーム（ＰＨ）を計算し、前記複数のＢＷＰが少なくとも１つのアクティベートしたＢＷＰを含むことと、
前記端末がネットワーク装置に前記複数のＢＷＰのうちの少なくとも１つのＢＷＰにおけるアップリンク信号のＰＨを送信することと、を含むパワーヘッドルーム報告方法。
【請求項２】
前記方法は更に、
前記端末は前記ネットワーク装置が無線リソース制御（ＲＲＣ）シグナリング、システムメッセージ（ＳＩ）、媒体アクセス制御（ＭＡＣ）シグナリング又はダウンリンク制御情報（ＤＣＩ）シグナリングで示す前記複数のＢＷＰを受信することを含む請求項１に記載の方法。
【請求項３】
前記端末が複数のＢＷＰにおけるアップリンク信号のパワーヘッドルーム（ＰＨ）を計算することは、
前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することを含む請求項１又は２に記載の方法。
【請求項４】
前記アップリンク信号の伝送パラメータは前記アップリンク信号の伝送帯域幅、前記アップリンク信号の変調符号化方式、前記アップリンク信号のサブキャリア間隔のうちの少なくとも１つを含む請求項３に記載の方法。
【請求項５】
前記アップリンク信号の電力制御パラメータは最大送信電力、目標受信電力、パスロス係数、パスロス推定値、閉ループ電力調整係数のうちの少なくとも１つを含む請求項３又は４に記載の方法。
【請求項６】
前記アップリンク信号の伝送パラメータ及び／又は電力制御パラメータは、前記ネットワーク装置が前記複数のＢＷＰのうちの各ＢＷＰに対してそれぞれ設定したものである請求項３〜５のいずれか１項に記載の方法。
【請求項７】
前記複数のＢＷＰのうちの各ＢＷＰに対して、
前記ＢＷＰにおけるアップリンク信号の伝送パラメータ及び／又は電力制御パラメータは、ＰＨを計算する時刻に前記ＢＷＰにおいて送信したアップリンク信号の伝送パラメータ及び／又は電力制御パラメータである請求項３〜６のいずれか１項に記載の方法。
【請求項８】
ＰＨを計算する時刻に前記端末が前記複数のＢＷＰのうちの第１ＢＷＰにおいてアップリンク信号を送信する場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の伝送パラメータ及び電力制御パラメータに基づいて、前記第１ＢＷＰにおけるアップリンク信号のＰＨを計算することを含む請求項３〜６のいずれか１項に記載の方法。
【請求項９】
ＰＨを計算する時刻に前記端末が前記複数のＢＷＰのうちの第１ＢＷＰにおいてアップリンク信号を送信しない場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第１ＢＷＰにおけるアップリンク信号の電力制御パラメータに基づいて、前記第１ＢＷＰにおけるアップリンク信号のＰＨを計算することを含む請求項３〜６のいずれか１項に記載の方法。
【請求項１０】
ＰＨを計算する前に直前一回前記複数のＢＷＰのうちの第２ＢＷＰにおいてアップリンク信号を送信する時刻とＰＨを計算する時刻との時間間隔が第１時間長より小さい場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の伝送パラメータ及び電力制御パラメータに基づいて、前記第２ＢＷＰにおけるアップリンク信号のＰＨを計算することを含む請求項３〜６のいずれか１項に記載の方法。
【請求項１１】
ＰＨを計算する前に直前一回前記複数のＢＷＰのうちの第２ＢＷＰにおいてアップリンク信号を送信する時刻とＰＨを計算する時刻との時間間隔が第１時間長以上である場合、前記端末が前記複数のＢＷＰのうちの各ＢＷＰにおけるアップリンク信号の伝送パラメータ及び／又は電力制御パラメータに基づいて、前記複数のＢＷＰのうちの各ＢＷＰにおけるアップリンク信号のＰＨを計算することは、
前記端末が前記第２ＢＷＰにおけるアップリンク信号の電力制御パラメータに基づいて、前記第２ＢＷＰにおけるアップリンク信号のＰＨを計算することを含む請求項３〜６のいずれか１項に記載の方法。
【請求項１２】
前記端末がネットワーク装置に前記複数のＢＷＰのうちの少なくとも１つのＢＷＰにおけるアップリンク信号のＰＨを送信することは、
前記端末は前記ネットワーク装置に前記複数のＢＷＰのうちの対応するＰＨ値が最大又は最小である少なくとも１つのＢＷＰにおけるアップリンク信号のＰＨを送信することを含む請求項１〜１１のいずれか１項に記載の方法。
【請求項１３】
前記アップリンク信号は物理アップリンク共有チャネル（ＰＵＳＣＨ）における信号であり、又はサウンディング参照信号（ＳＲＳ）であり、又は物理アップリンク制御チャネル（ＰＵＣＣＨ）における信号であり、又は物理ランダムアクセスチャネル（ＰＲＡＣＨ）における信号である請求項１〜１２のいずれか１項に記載の方法。
【請求項１４】
パワーヘッドルーム報告装置であって、請求項１〜１３のいずれか１項に記載の方法を実行するように構成されるパワーヘッドルーム報告装置。
【請求項１５】
コンピュータ記憶媒体であって、コンピュータ実行可能命令が記憶され、該コンピュータ実行可能命令がプロセッサにより実行されるとき、請求項１〜１３のいずれか１項に記載の方法ステップを実現するコンピュータ記憶媒体。
【国際調査報告】
2021514595.tif 000043
2021514595.tif 000044
2021514595.tif 000045
2021514595.tif 000046